(57)【要約】【課題】スピンドルモータを用いた従来のディスク回転装置においては、ロータの内部に係合部と係止部を設けてロータの抜けを防いでいるため、軸方向に厚い構造となっており、ディスク回転装置の薄型化が困難で、材料コストも高いものとなっていた。【解決手段】ロータヨーク１０４の円盤型平面部１０５の外周に係合部１０７を設け、さらにスピンドルモータを取り付ける架台１０３の開口孔１０８の内周に抜止部１０９を設ける。落下衝撃等の過大な力がロータ１０２の抜け方向に作用した場合、係合部１０７と抜止部１０９が一定の幅で対向することによりロータ１０２の抜けを防止する。上記構成を採用することにより、ディスク回転装置の薄型化が可能となる。【選択図】図１
2007080405.tif 000002
【特許請求の範囲】
【請求項１】
中心部に軸受けハウジングが取り付けられた板状のシャーシベースと、
前記軸受けハウジングに装着された軸受けに回転可能に支持された回転軸と、
前記回転軸が中心部に取り付けられた円盤型平面部及び、この円盤型平面部の周囲に形成された中空円筒状の胴体部からなり、前記胴体部の内側にマグネットが取り付けられたロータヨークと、
前記回転軸に取り付けられ、ディスクを載置する平面部と前記ディスクの位置決めを行う位置決め部を有するターンテーブルと、
前記軸受けハウジングと前記ロータヨークの胴体部の間に配された鉄心及びコイルと、
前記ロータヨークを収納する円筒状の開口孔を有し、一方の面に前記シャーシベースが取り付けられた板状の架台とを備え、
前記開口孔に接する前記架台の内周のうち、前記シャーシベースが取り付けられた面とは反対側の面と接する前記開口孔縁部に、内径が前記ロータヨークの外径よりも小さい抜止部を設けると共に、前記ロータヨークの円盤型平面部の外周側に、前記抜止部と対向して前記回転軸の前記軸受けハウジングからの抜けを防止する係合部を設けたことを特徴とするディスク回転装置。
【請求項２】
円盤状の金属板の周辺部をプレス加工して中空円筒状の胴体部を形成した前記ロータヨークにおいて、前記円盤型平面部と前記胴体部との境界に形成される曲面部分にコ字状の孔を開け、径方向に突出する金属片を前記係合部としたことを特徴とする請求項１に記載のディスク回転装置。
【請求項３】
前記金属片の先端部寸法を前記ロータヨークの外径寸法と等しくしたことを特徴とする請求項２に記載のディスク回転装置。
【請求項４】
前記係合部を前記ロータヨークの円盤型平面部の外周側に、前記回転軸を中心として略１２０度毎に３箇所設けたことを特徴とする請求項１〜３のいずれかに記載のディスク回転装置。
【発明の詳細な説明】
【技術分野】
【０００１】
本発明は、DVDプレーヤやコンパクトディスクプレーヤ等の光ディスク装置に用いて最適なディスク回転装置に関するものである。
【背景技術】
【０００２】
光ディスク装置は、DVDやコンパクトディスク等への記録や再生を行う装置として実用に供されている。これらDVDやコンパクトディスク等には内周から外周まで連続して信号が記録されており、回転するDVDやコンパクトディスク等から信号を連続して記録、再生するためには、光ピックアップを架台上においてDVDやコンパクトディスク等の半径方向に往復移動可能に構成すると共に、架台に取り付けたスピンドルモータによりディスクを載置したターンテーブルを回転駆動可能に構成しなければならない。
【０００３】
従来、この種のスピンドルモータを用いたディスク回転装置として、例えば、特許文献１に記載されているようなものがあった。
図２は前記特許文献に記載された従来のディスク回転装置の要部断面側面図である。図２において、ディスク回転装置はスピンドルモータ２００と架台２１９で構成され、またスピンドルモータ２００はステータ２０１とロータ２０２で構成されている。
【０００４】
ステータ２０１は、板状のシャーシベース２０３、軸受け２０４が内部に装着された筒状の軸受けハウジング２０５、その軸受けハウジング２０５に固定された鉄心２０６及び、鉄心２０６に取り付けられたコイル２０７で構成されている。
【０００５】
一方、ロータ２０２は、いわゆるアウターロータとなっており、回転軸２０８に磁性体であるロータヨーク２０９が固定されている。ロータヨーク２０９は円盤型平面部２１０の周囲に中空円筒状の胴体部２１１を設けたキャップ状に形成され、胴体部２１１の内側には全周にマグネット２１２が取り付けられている。
【０００６】
ターンテーブル２１５は、ディスク載置面２１３と、ディスクをスピンドルモータ２００に対して位置決めするディスク位置決め部２１４からなり、ロータヨーク２０９と一体に設けられている。
【０００７】
更に、ロータヨーク２０９に設けられた挿通孔２１６からステータ２０１側へ延びる係合爪２１７が、ターンテーブル２１５と一体化してあるいは別体に設けられ、また軸受けハウジング２０５の先端部には抜止部２１８が形成され、この係合爪２１７と抜止部２１８が非接触に係合することにより、ロータ２０２の回転軸２０８がステータ２０１の軸受けハウジング２０５から抜けないよう構成されている。
【特許文献１】特開２００４−２４８３３２号公報
【発明の開示】
【発明が解決しようとする課題】
【０００８】
しかしながら、前記従来の構成では、係合爪２１７と抜止部２１８を配置するために、鉄心２０６とロータヨーク２０９の円盤型平面部２１０との間に空間が必要であり、その結果、スピンドルモータ２００は回転軸２０８方向に厚い構造となっていた。また、係合爪２１７を設けたターンテーブル２１５と抜止部２１８を設けた軸受けハウジング２０５は複雑な形状となり、製造コストの高い部品となっていた。更に、係合爪２１７を樹脂成形で作成していることが多く、寸法・強度等の品質の維持管理の面から、受入検査等の費用も必要となっていた。
【０００９】
上記課題に鑑み、本発明は、ロータヨークの円盤型平面部とスピンドルモータを取り付ける架台の構造に工夫を施すことにより、ロータの抜けを防止すると共にスピンドルモータを薄く構成することができるディスク回転装置を提供するものである。
【課題を解決するための手段】
【００１０】
上記課題を解決するため、本発明のディスク回転装置は、
中心部に軸受けハウジングが取り付けられた板状のシャーシベースと、
前記軸受けハウジングに装着された軸受けに回転可能に支持された回転軸と、
前記回転軸が中心部に取り付けられた円盤型平面部及び、この円盤型平面部の周囲に形成された中空円筒状の胴体部からなり、前記胴体部の内側にマグネットが取り付けられたロータヨークと、
前記回転軸に取り付けられ、ディスクを載置する平面部と前記ディスクの位置決めを行う位置決め部を有するターテーブルと、
前記軸受けハウジングと前記ロータヨークの胴体部の間に配された鉄心及びコイルと、
前記ロータヨークを収納する円筒状の開口孔を有し、一方の面に前記シャーシベースが取り付けられた板状の架台とを備え、
前記開口孔に接する前記架台の内周のうち、前記シャーシベースが取り付けられた面とは反対側の面と接する前記開口孔縁部に、内径が前記ロータヨークの外径よりも小さい抜止部を設けると共に、前記ロータヨークの円盤型平面部の外周側に、前記抜止部と対向して前記回転軸の前記軸受けハウジングからの抜けを防止する係合部を設けたことを特徴とする。
【００１１】
本発明のディスク回転装置において、前記係合部の作成方法として、円盤状の金属板の周辺部をプレス加工して前記ロータヨークの中空円筒状の胴体部を形成する際に、前記円盤型平面部と前記胴体部との境界に形成される曲面部分にコ字状の孔を開け、径方向に突出する金属片を係合部とすることが好ましい。
【００１２】
また本発明のディスク回転装置において、前記金属片の先端部寸法を前記ロータヨークの外径寸法と等しくすることが好ましい。同様に、前記係合部を前記ロータヨークの円盤型平面部の外周側に、前記回転軸を中心として略１２０度毎に３箇所設けることが好ましい。
【発明の効果】
【００１３】
本発明のディスク回転装置によれば、スピンドルモータの厚みを薄くすることができる。またロータとステータの形状を簡素化でき、コストを下げると同時に信頼性を高めることができる。
【発明を実施するための最良の形態】
【００１４】
以下、本発明の実施の形態におけるディスク回転装置について、図面を参照しながら説明する。
図１は、本発明の実施の形態におけディスク回転装置の要部断面側面図である。図中、図２と同一の機能を有する構成部品については同一符号を付し、説明を省略する。
図１において、ディスク回転装置はスピンドルモータ１００と一定の厚さを有する板状の架台１０３で構成され、スピンドルモータ１００はステータ１０１とロータ１０２で構成されている。
【００１５】
ステータ１０１は、板状のシャーシベース２０３、軸受け２０４が内部に装着された筒状の軸受けハウジング２０５、その軸受けハウジング２０５に固定された鉄心２０６及び、鉄心２０６に取り付けられたコイル２０７で構成され、これらの構成は図２に示した従来のディスク回転装置と同じである。
【００１６】
一方、ロータ１０２は、回転軸２０８に固定された磁性体からなるロータヨーク１０４で構成されている。ロータヨーク１０４は円盤型平面部１０５の周囲に中空円筒状の胴体部１０６を設けたキャップ状に形成されている。ロータヨーク１０４の円盤型平面部１０５の外周側には係合部１０７が設けられ、一方、架台１０３に設けられたロータヨーク１０４収納用の開口孔１０８の内周のうち、シャーシベース２０３が取り付けられた面とは反対側の面と接する開口孔縁部には、全周にわたってリブ状の抜止部１０９が設けられている。
【００１７】
通常、係合部１０７と抜止部１０９はロータ１０２の半径方向に寸法Aだけ重なっている。更にロータヨーク１０４と架台１０３の間にはロータヨーク１０４が回転可能な隙間が設けられている。またマグネット２１２と鉄心２０６によって発生する吸引力でロータ１０２はステータ１０１側に吸引されるため、ロータ１０２は架台１０３に接触することなく回転することができる。
【００１８】
一方、落下衝撃等の過大な力がロータ１０２の抜け方向に作用した場合は、係合部１０７と抜止部１０９が寸法Aだけ対向して、ロータ１０２の回転軸２０８がステータ１０１の軸受けハウジング２０５から抜けるのを防止する。
【００１９】
本実施の形態において、ロータヨーク１０４に係合部１０７を形成する方法について説明する。通常、ロータヨーク１０４は磁性を有する円盤状の金属板の周辺部をプレス加工によって折り曲げることにより作成するが、この際、円盤型平面部１０５と中空円筒状の胴体部１０６の境界に図に示すコ字状の孔１１０を開け、係合部１０７となる径方向に突出した金属片を残して境界に曲面を形成するように金属板の周辺部を折り曲げることにより、係合部１０７を有するロータヨーク１０４を簡単に作成することができる。
【００２０】
また、本実施の形態において、係合部１０７をロータヨーク１０４の円盤型平面部１０５の外周に等間隔（略１２０度毎）に３個所設けた。係合部１０７の数と大きさについて特に制限はないが、プレス加工の際に使用する金型の作り易さやロータ１０２の抜け難さ等を考慮すると、実用上３個所設けることが好ましい。
【００２１】
以上説明したように、本実施の形態の構造を採用することにより、係合部や抜止部をロータヨークの内部に配置した場合のような空間を必要としないため、スピンドルモータ１００の厚みを薄くすることができ、また係合部や抜止部の形状も図２の従来の装置に比べ簡素なものとなる。
【００２２】
また、一般にディスク回転装置を用いた光ディスク装置では、架台１０３に光ピックアップを摺動可能にガイドする駆動シャフトが取り付けられ、光ピックアップは駆動シャフトに沿って光ディスクの内周と外周の間を往復移動する。このとき、光ピックアップの移動範囲はロータ１０２の外径寸法によって制約を受ける。その一方で、モータはロータの径が大きいほど効率を上げることができるので、ロータ外径が大きいほど効率の良いスピンドルモータとなる。
【００２３】
本発明のディスク回転装置においては、ロータの抜けを防止する係合部をロータヨーク１０４の外側に配置する構造を採用せず、係合部１０７の先端寸法をロータヨーク１０４の外径寸法と同一にする構成としたことで、光ピックアップの移動範囲について制約がある中でロータの外径寸法を最も大きくすることができ、結果として効率の良いモータを作成することができる。
【産業上の利用可能性】
【００２４】
本発明にかかるディスク回転装置は、ロータに設けた係合部と架台に設けた抜止部によってロータの抜けを防ぐ構造を採用することによりスピンドルモータの薄型化を実現したものであり、据え置きタイプの光ディスク装置だけでなく、より薄い商品が望まれるポータブル機器にも適用可能である。
【図面の簡単な説明】
【００２５】
【図１】本発明の実施の形態におけるディスク回転装置の要部断面側面図
【図２】従来のディスク回転装置の要部断面側面図
【符号の説明】
【００２６】
１００  スピンドルモータ
１０１  ステータ
１０２  ロータ
１０３  架台
１０４  ロータヨーク
１０５  円盤型平面部
１０６  胴体部
１０７  係合部
１０８  開口孔
１０９  抜止部
１１０  孔
２０３  シャーシベース
２０４  軸受け
２０５  軸受けハウジング
２０６  鉄心
２０７  コイル
２０８  回転軸
２１２  マグネット
２１３  ディスク載置部
２１４  ディスク位置決め部
２１５  ターンテーブル
【図１】
2007080405.tif 000003
【図２】
2007080405.tif 000004